(57)【要約】【課題】  照射角度の異なる照明装置を容易に製造することができる照明装置を提供すること。【解決手段】  配線パターンが設けられた可撓性を有するシート状基板６と、配線パターン６に電気的に接続されてシート状基板６に取り付けられた複数のＬＥＤ４と、シート状基板６を保持するための保持部材８と、を備える。シート状基板６は、その一側端から他側端に向かって設けられた所定長のスリットにより複数に分割された複数の取付片１８を有し、複数の取付片１８の各々にはＬＥＤ４が取り付けられ、保持部材８は、その一端部に所定の装着角度を有する装着面２６を有し、装着面２６には複数のＬＥＤ４が複数の取付片１８とともに添設され、この添設状態で、固定部材３０によってシート状基板６を保持部材８に保持させる。【選択図】  図１
2009158260.tif 000002
【特許請求の範囲】
【請求項１】
配線パターンが設けられた可撓性を有するシート状基板と、前記配線パターンに電気的に接続されて前記シート状基板に取り付けられた複数のＬＥＤと、前記シート状基板を保持するための保持部材と、を備え、
前記シート状基板は、その一側端から他側端に向かって設けられた所定長のスリットにより複数に分割された複数の取付片を有し、前記複数の取付片の各々には前記ＬＥＤが取り付けられ、前記保持部材は、その一端部に所定の装着角度を有する装着面を有し、前記装着面には前記ＬＥＤが前記取付片とともに添設され、この添設状態で、固定部材によって前記シート状基板を前記保持部材に保持させたことを特徴とする照明装置。
【請求項２】
前記保持部材は筒状に構成され、前記装着面は、前記保持部材の軸線に対して所定角度で延びていることを特徴とする請求項１に記載の照明装置。
【請求項３】
前記装着面は、前記ＬＥＤの光軸がそれぞれ異なるようにその装着角度を異ならしめた複数の装着面から構成されることを特徴とする請求項１又は２に記載の照明装置。
【請求項４】
前記複数の取付片の各々には、固定用孔と長孔とが前記ＬＥＤを間にして設けられ、前記複数の取付片は、前記保持部材の一端縁で折り曲げられて前記保持部材の両面に配置され、前記固定部材となる前記取付桿が前記固定用孔及び前記長孔に挿入されることにより、前記シート状基板が前記保持部材に固定されることを特徴とする請求項１〜３のいずれかに記載の照明装置。
【請求項５】
前記シート状基板には、前記配線パターンが複数個それぞれ電気的に独立して並設され、前記シート状基板は、各配線パターンとこれに隣接する配線パターンとの間において適宜切断可能に構成されていることを特徴とする請求項１〜４のいずれかに記載の照明装置。
【請求項６】
前記固定部材は、前記保持部材に沿わせた押さえ部材から構成され、前記保持部材の一端縁で折り曲げられた前記複数の取付片が、前記押さえ部材と前記保持部材との間に挟着されることを特徴とする請求項１〜５のいずれかに記載の照明装置。
【発明の詳細な説明】
【技術分野】
【０００１】
本発明は、例えば画像処理検査等において被検査物を照明するために用いられる照明装置に関する。
【背景技術】
【０００２】
従来より、プリント配線基板や半導体等の工業製品の品質、例えば、ハンダ付けの不良や異物の付着等、あるいは飲料用缶に印字される製造日等の印字ミス等を製造ライン上で検査する際に、ＣＣＤカメラ等による撮像を利用した画像処理検査が行われている。この画像処理検査においては、照明領域に配置された被検査物を照明するための照明装置が用いられている。
【０００３】
この照明装置は、切欠きを有する円環状のプリント基板と、プリント基板に取り付けられた複数のＬＥＤと、プリント基板を保持するためのリング状のケース部材と、を備えている（例えば、特許文献１参照）。この照明装置を組み立てる際には、まず、平面状に保持したプリント基板の片面に複数のＬＥＤをハンダ付けにより取り付け、複数のＬＥＤが凹面側に配設されるようにして、プリント基板を湾曲させてその両端部を相互に接続し、このようにして構成されたリング状（切頭円錐形状）のプリント基板をケース部材に保持させる。
【０００４】
【特許文献１】特開平１０−０２１７２９号公報
【発明の開示】
【発明が解決しようとする課題】
【０００５】
上述のような従来の照明装置では、検査の目的などに応じて最適な照射角度を有する照明装置を選択する必要があり、照明装置の製造時において、プリント基板の直径や切欠きの大きさを変更することにより、所望の照射角度を有する照明装置を得ることができる。しかしながら、形状や大きさが異なるプリント基板を複数種類用意し、これら複数種類のプリント基板から特定のプリント基板を選択してこれを上述のようにリング状に構成しなければならず、それ故に、照射角度の異なる照明装置を容易に製造することができないという問題がある。
【０００６】
本発明の目的は、照射角度の異なる照明装置を容易に製造することができる照明装置を提供することである。
【課題を解決するための手段】
【０００７】
本発明の請求項１に記載の照明装置では、配線パターンが設けられた可撓性を有するシート状基板と、前記配線パターンに電気的に接続されて前記シート状基板に取り付けられた複数のＬＥＤと、前記シート状基板を保持するための保持部材と、を備え、
前記シート状基板は、その一側端から他側端に向かって設けられた所定長のスリットにより複数に分割された複数の取付片を有し、前記複数の取付片の各々には前記ＬＥＤが取り付けられ、前記保持部材は、その一端部に所定の装着角度を有する装着面を有し、前記装着面には前記ＬＥＤが前記取付片とともに添設され、この添設状態で、固定部材によって前記シート状基板を前記保持部材に保持させたことを特徴とする。
【０００８】
また、本発明の請求項２に記載の照明装置では、前記保持部材は筒状に構成され、前記装着面は、前記保持部材の軸線に対して所定角度で延びていることを特徴とする。
さらに、本発明の請求項３に記載の照明装置では、前記装着面は、前記ＬＥＤの光軸がそれぞれ異なるようにその装着角度を異ならしめた複数の装着面から構成されることを特徴とする。
【０００９】
また、本発明の請求項４に記載の照明装置では、前記複数の取付片の各々には、固定用孔と長孔とが前記ＬＥＤを間にして設けられ、前記複数の取付片は、前記保持部材の一端縁で折り曲げられて前記保持部材の両面に配置され、前記固定部材となる前記取付桿が前記固定用孔及び前記長孔に挿入されることにより、前記シート状基板が前記保持部材に固定されることを特徴とする。
【００１０】
さらに、本発明の請求項５に記載の照明装置では、前記シート状基板には、前記配線パターンが複数個それぞれ電気的に独立して並設され、前記シート状基板は、各配線パターンとこれに隣接する配線パターンとの間において適宜切断可能に構成されていることを特徴とする。
【００１１】
また、本発明の請求項６に記載の照明装置では、前記固定部材は、前記保持部材に沿わせた押さえ部材から構成され、前記保持部材の一端縁で折り曲げられた前記複数の取付片が、前記押さえ部材と前記保持部材との間に挟着されることを特徴とする。
【発明の効果】
【００１２】
本発明の照明装置によれば、保持部材の装着面にはＬＥＤが取付片とともに添設されるので、装着面の装着角度を変更することによって、複数のＬＥＤからの光の照射方向（照射角度）を容易に変更することができる。従って、照明装置の製造時において、装着面の装着角度の異なる保持部材を複数種類用意しておき、シート状基板を適宜の保持部材に保持させることにより、所望の照射角度を有する照明装置を容易に製造することができる。これによって、一種類のシート状基板を用意しておくだけで、照射角度の異なる複数種類の照明装置を選択的に製造することができ、シート状基板の汎用性を高めることができる。
【００１３】
また、本発明の照明装置によれば、装着面は、筒状の保持部材の軸線に対して所定角度で延びているので、複数のＬＥＤは装着面にリング状に装着されるようになり、これにより所望の照射角度を有するリング状照明装置を容易に製造することができる。なお、上記所定角度は、０度〜９０度の適宜の角度で設定される。
【００１４】
さらに、本発明の照明装置によれば、装着面は、ＬＥＤの光軸がそれぞれ異なるようにその装着角度を異ならしめた複数の装着面から構成されるので、所望の照明範囲を有する照明装置を容易に得ることができる。
【００１５】
また、本発明の照明装置によれば、取付桿が固定用孔及び長孔に挿入されることにより、シート状基板が保持部材に固定されるので、シート状基板を保持部材に確実に且つ容易に保持させることができる。また、装着角度の異なる装着面に取付片を添設した際には、固定用孔の長孔に対する相対的位置が変化するようになるが、固定用孔の相対的位置の移動範囲を長孔によってカバーすることができ、それ故に、固定用孔の配設位置と長孔の配設位置とを容易に合わせることができ、取付桿を固定用孔及び長孔に容易に挿入することができる。
【００１６】
さらに、本発明の照明装置によれば、シート状基板は、各配線パターンとこれに隣接する配線パターンとの間において適宜切断可能に構成されているので、シート状基板を適宜切断することにより、所望の大きさのシート状基板を容易に得ることができる。例えば、リング状照明装置の場合には、その直径に対応した長さにシート状基板を切断し、このシート状基板を筒状に湾曲保持させることにより、所望の直径を有するシート状基板を容易に得ることができる。また線状照明装置の場合には、その長さに対応した長さにシート状基板を切断することにより、所望の長さを有するシート状基板を容易に得ることができる。
【００１７】
また、本発明の照明装置によれば、保持部材の一端縁で折り曲げられた複数の取付片が、押さえ部材と保持部材との間に挟着されるので、シート状基板を保持部材により確実に保持させることができる。
【発明を実施するための最良の形態】
【００１８】
以下、添付図面を参照して、本発明に従う照明装置の各種実施形態について説明する。
［第１の実施形態］
まず、図１〜図３を参照して、第１の実施形態の照明装置について説明する。図１は、本発明の第１の実施形態による照明装置を示す概略断面図であり、図２は、図１中のＡ−Ａ線による照明装置の概略断面図であり、図３は、図１の照明装置の製造に用いられるシート状基板を示す図である。
【００１９】
図１〜図３を参照して、図示の照明装置２は、複数のＬＥＤ４と、このＬＥＤ４が取り付けられたシート状基板６と、シート状基板６を保持するための保持部材８と、を備えている。以下、これら各構成要素について詳細に説明する。
【００２０】
ＬＥＤ４は、その上面に発光部１０を有するチップ型ＬＥＤから構成されている。発光部１０が発光されると、その光は光軸を中心に立体角状に拡がった配光をなし、発光部１０からの光のうち、光軸を中心とした所定範囲の立体角（即ち、有効発光角）内にその大部分が放射される。
【００２１】
シート状基板６は、可撓性を有するフレキシブルプリント基板から構成され、その厚さは例えば０．０１ｍｍ〜０．１ｍｍに構成されている。このシート状基板６は横長の帯状に構成され、その一側端から他側端に向かって設けられた所定長のスリット１４により複数に分割された複数の取付片１８を有している（図３参照）。シート状基板６には、同一の配線パターン１６が複数個それぞれ電気的に独立して並設されており、各配線パターン１６とこれに隣接する配線パターン１６との間には切断用ライン１２ａ，１２ｂ，１２ｃが配設されている。切断用ライン１２ａ，１２ｂ，１２ｃの配置間隔Ｌは、本実施形態では約３５ｍｍに設定されている。各取付片１８に設けられた配線パターン１６にはそれぞれＬＥＤ４が電気的に取り付けられ、またシート状基板６の他側端側に設けられた配線パターン１６には、電力供給装置（図示せず）からの駆動電力が供給される電極端子部２０が設けられている。また、各取付片１８には、固定用孔２２と長孔２４とがＬＥＤ４を間にして設けられ、固定用孔２２は取付片１８の基端部側に設けられ、長孔２４は取付片１８の先端部側に設けられている。
【００２２】
この第１の実施形態では、上述のシート状基板６を適宜の切断用ライン１２ａ，１２ｂ，１２ｃのいずれか１つに沿って切断することにより、後述するようにシート状基板６を円筒状に湾曲保持させた際のシート状基板６の直径を変更することができる。例えば、切断用ライン１２ａに沿って切断した場合には、シート状基板６の円周長さは約３５ｍｍ、直径Ｄ１は約１１．１ｍｍ（＝３５÷３．１４）となり、切断用ライン１２ｂに沿って切断した場合には、シート状基板６の円周長さは約７０ｍｍ、直径Ｄ２は約２２．３ｍｍ（＝７０÷３．１４）となり、また切断用ライン１２ｃに沿って切断した場合には、シート状基板６の円周長さは約１０５ｍｍ、直径Ｄ３は約３３．４ｍｍ（＝１０５÷３．１４）となる。また、切断用ライン１２ａ，１２ｂ，１２ｃに沿って切断しない場合には、シート状基板６の円周長さは約１４０ｍｍ、直径Ｄ４は約４４．６ｍｍ（＝１４０÷３．１４）となる。
【００２３】
保持部材８は円筒状に構成され、その一端部にリング状の装着面２６を有している。この装着面２６は、保持部材８の軸線Ｃに対して所定の装着角度θ１（本実施形態では約４５度）で径方向外方に向かって傾斜される傾斜面になっている。保持部材８には、その周方向に間隔をおいて複数の固定用貫通孔２８が設けられている。
【００２４】
保持部材８の外側には、シート状基板６の複数の取付片１８の各先端部を固定するための半円筒状の一対の押さえ部材３０（固定部材を構成する）が配設されている。この押さえ部材３０には、保持部材８の複数の固定用貫通孔２８に対応して複数の固定用貫通孔３２が設けられている。また、押さえ部材３０の高さ寸法は、保持部材８の高さ寸法よりも短く構成されている。
【００２５】
また、保持部材８の内側には、シート状基板６の複数の取付片１８の各基端部を固定するための半円筒状の一対の補助部材３４が配設されている。この補助部材３４の外周部には、保持部材８の複数の固定用貫通孔２８に対応して複数のネジ孔３６が設けられている。また、補助部材３４の高さ寸法は、保持部材８の高さ寸法よりも短く構成されている。
【００２６】
次に、上述した照明装置２を組み立てる手順を示しながら、照明装置２の構造について説明する。この第１の実施形態では、シート状基板６の直径Ｄ１が約１１．１ｍｍである照明装置２を製造する場合について説明する。まず、シート状基板６を切断用ライン１２ａに沿って切断し、長さＬのシート状基板６を得る。その後、複数のＬＥＤ４が取り付けられた面が内側になるようにして、このシート状基板６を円筒状に湾曲させてその両端部を相互に接続（又は近接保持）させ、保持部材８の内面に添設する。かかる状態にて、シート状基板６の各取付片１８の先端部をそれぞれ装着面２６に沿って保持部材８の外面側に折り曲げ、更に一対の押さえ部材３０を保持部材８の外側に沿うようにして配設して、保持部材８の一端縁で折り曲げられた複数の取付片１８の各先端部を保持部材８と押さえ部材３０との間に挟着する。
【００２７】
また、一対の補助部材３４を保持部材８の内側に配設して、保持部材８の内面に配設された複数の取付片１８の各基端部を保持部材８と補助部材３４との間に挟着する。ここで、上述のように、補助部材３４の高さ寸法は保持部材８の高さ寸法よりも短く構成されているので、シート状基板６の電極端子部２０が補助部材３４により覆われることがなく、電極端子部２０を外部に露出させることができる。かかる状態にて、固定用ネジ３８（固定部材としての取付桿を構成する）を押さえ部材３０の固定用貫通孔３２、シート状基板６の長孔２４、保持部材８の固定用貫通孔２８及びシート状基板６の固定用孔２２を通して補助部材３４のネジ孔３６に螺着する。ここで、上述のように、押さえ部材３０の高さ寸法は保持部材８の高さ寸法よりも短く構成されているので、複数の取付片１８の各先端部を引っ張りながら固定用ネジ３８を螺着することができ、これにより、複数のＬＥＤ８を複数の取付片１８とともに装着面２６に確実に添設させることができる。
【００２８】
このようにシート状基板６を保持部材８に保持させることにより、シート状基板６が円筒状に湾曲保持され、ＬＥＤ４が装着面２６にリング状に並んで配設される。各ＬＥＤ４からの光の照射方向は、保持部材８の軸線Ｃに対して角度θ２（本実施形態では約４５度）だけ径方向内方に傾斜した方向となる。なお、シート状基板６の電極端子部２０には、電力供給装置からの電力ケーブル（図示せず）が電気的に接続される。
【００２９】
このようにして組み立てられた照明装置２は、例えば次のような画像処理検査に用いられる。保持部材８の装着面２６が下側になるようにして照明装置２を検査用機器（図示せず）などに取り付ける。照明装置２の下方には照明領域（図示せず）が位置され、この照明領域には被検査物（図示せず）が配置される。照明装置２の上方にはＣＣＤカメラ（図示せず）が設置され、このＣＣＤカメラは、照明装置２の中央開口部４０を通して被検査物を上方より覗けるように構成されている。
【００３０】
電力供給装置からの所定の電力が電力ケーブルを介してシート状基板６の電極端子部２０に供給されると、配線パターン１６を介して複数のＬＥＤ４にそれぞれ供給され発光される。これにより照明領域に配置された被検査物の表面が照明され、被検査物の画像処理検査が行われる。
【００３１】
この第１の実施形態の照明装置２では、保持部材８の軸線Ｃに対する装着面２６の装着角度θ１を変更することによって、複数のＬＥＤ４からの光の照射方向を容易に変更することができる。従って、照明装置２の製造時において、保持部材８の軸線Ｃに対する装着面２６の装着角度θ１の異なる保持部材８を複数種類用意しておき、シート状基板６を適宜の保持部材８に保持させることにより、所望の照射角度を有する照明装置２を容易に製造することができる。これによって、一種類のシート状基板６を用意しておくだけで、照射角度の異なる複数種類のリング状の照明装置２を選択的に製造することができ、シート状基板６の汎用性を高めることができる。
【００３２】
［第２の実施形態］
次に、図４を参照して、第２の実施形態の照明装置について説明する。図４は、本発明の第２の実施形態による照明装置を示す概略断面図である。なお、以下に示す第２〜第５の実施形態において、上記第１の実施形態と実質上同一の構成要素には同一の符号を付して、その説明を省略する。
【００３３】
第２の実施形態の照明装置２Ａでは、保持部材８Ａの装着面２６Ａは、保持部材８Ａの軸線Ｃに対して約０度の角度で（即ち、軸線Ｃと実質上平行に）延び、またシート状基板６Ａの直径Ｄ３は約３３．４ｍｍに設定されている。この直径Ｄ３の照明装置２Ａを得るためには、直径Ｄ３を得るための大きさの保持部材８Ａを用意しておき、そしてシート状基板６Ａを切断用ライン１２ｃ（図２参照）に沿って切断し、各配線パターン１６をジャンパー線４２を介して相互に電気的に接続した後に、切断した長さ３Ｌのシート状基板６Ａを上記第１の実施形態と同様にして保持部材８Ａに保持させる。これにより、各ＬＥＤ４からの光の照射方向は、保持部材８Ａの軸線Ｃに対して約９０度の角度だけ径方向内方に傾斜した方向となる。従って、この第２の実施形態の照明装置２Ａにおいても、上述したのと同様の作用効果が達成される。
【００３４】
なお、上述のように装着面２６Ａの装着角度が異なる保持部材８Ａにシート状基板６Ａを保持させた際には、固定用孔２２の長孔２４に対する相対的位置が変化するようになるが、固定用孔２２の相対的位置の移動範囲を長孔２４によってカバーすることができ、それ故に、固定用孔２２の配設位置と長孔２４の配設位置とを容易に合わせることができ、固定用ネジ３８を固定用孔２２及び長孔２４を通して容易に挿入することができる。
【００３５】
［第３の実施形態］
次に、図５を参照して、第３の実施形態の照明装置について説明する。図５は、本発明の第３の実施形態による照明装置を示す概略部分斜視図である。
【００３６】
第３の実施形態の照明装置２Ｂでは、保持部材８Ｂの一端部には、保持部材８Ｂの軸線に対して第１の装着角度θ３（本実施形態では約３０度）で延びる複数の第１装着面４４と、保持部材８Ｂの軸線に対して第２の装着角度θ４（本実施形態では約４５度）で延びる複数の第２装着面４６とが設けられ、第１装着面４４及び第２装着面４６は交互に並んで配設されている。
【００３７】
シート状基板６が保持部材８Ｂに保持されると、複数のＬＥＤ４ａ，４ｂはそれぞれ複数の第１及び第２装着面４４，４６に添設され、第１装着面４４に配設されたＬＥＤ４ａからの光の照射方向は、保持部材８Ｂの軸線に対して約６０度の角度だけ径方向内方に傾斜した方向となり、また第２装着面４６に配設されたＬＥＤ４ｂからの光の照射方向は、保持部材８Ｂの軸線に対して約４５度の角度だけ径方向内方に傾斜した方向となる。従って、複数のＬＥＤ４ａ，４ｂからの光により照明される照明範囲を拡げることができ、より広範囲に被検査物を照明することができる。
【００３８】
なお、この第３の実施形態では、シート状基板６の各取付片１８にそれぞれ１個のＬＥＤ４ａ（４ｂ）を取り付けるように構成したが、図６に示すように、各取付片１８にそれぞれ複数（例えば２個）のＬＥＤ４ａ（４ｂ）を取り付けるように構成してもよい。
【００３９】
［第４の実施形態］
次に、図７を参照して、第４の実施形態の照明装置について説明する。図７は、本発明の第４の実施形態による照明装置を示す概略断面図である。
第４の実施形態の照明装置２Ｃは、第１〜第３照明装置２，２Ａ，４８から構成され、第１及び第２照明装置２，２Ａはそれぞれ上記第１及び第２の実施形態と同様に構成されている。第１照明装置２の外側には第２照明装置２Ａが配設され、更にこれら第１照明装置２と第２照明装置２Ａとの間には第３照明装置４８が配設されている。
【００４０】
第３照明装置４８の保持部材８Ｃの装着面２６Ｃは、保持部材８Ｃの軸線Ｃに対して約３０度の装着角度で延び、またシート状基板６Ｃの直径Ｄ２は約２２．３ｍｍに設定されている。この直径Ｄ２の第３照明装置４８を得るためには、シート状基板６Ｃを切断用ライン１２ｂ（図２参照）に沿って切断し、各配線パターン１６をジャンパー線４２を介して相互に電気的に接続した後に、切断した長さ２Ｌのシート状基板６Ｃを上記第１の実施形態と同様にして保持部材８Ｃに保持させる。これにより、各ＬＥＤ４からの光の照射方向は、保持部材８Ｃの軸線Ｃに対して約６０度の角度だけ径方向内方に傾斜した方向となる。
【００４１】
第１〜第３照明装置２，２Ａ，４８を上述のように配設することにより、約４５度の照射角度を有する第１照明装置２の複数のＬＥＤ４の外側且つ下方には約６０度の照射角度を有する第２照明装置２Ａの複数のＬＥＤ４が配設され、更にその外側且つ下方には約９０度の照射角度を有する第３照明装置４８の複数のＬＥＤ４が配設される。従って、第１〜第３照明装置２，２Ａ，４８の複数のＬＥＤ４はドーム状に配設され、ドーム状の照明装置２Ｃが得られる。
【００４２】
［第５の実施形態］
次に、図８を参照して、第５の実施形態の照明装置について説明する。図８は、本発明の第５の実施形態による照明装置を示す概略断面図である。
第５の実施形態の照明装置２Ｄでは、円筒状の保持部材８Ｄの一端部には、保持部材８Ｄの軸線Ｃに対して所定の装着角度θ５（本実施形態では約４５度）で径方向内方に延びる装着面２６Ｄが設けられている。ＬＥＤ４Ｄは、その装着面２６Ｄに対して実質上平行に発光する発光部１０Ｄを有するサイドビュー型のチップＬＥＤから構成され、発光部１０Ｄが取付片１８の先端部側を向くようにしてシート状基板６に取り付けられる。
【００４３】
シート状基板６は円筒状に湾曲されて保持部材８Ｄの外面に取り付けられ、複数の取付片１８の各先端部は保持部材８Ｄの内面側に折り曲げられる。保持部材８Ｄの内側には半円筒状の一対の押さえ部材５０（固定部材を構成する）が沿うようにして配設され、保持部材８Ｄの一端縁で折り曲げられた複数の取付片１８の各先端部は、保持部材８Ｄと押さえ部材５０との間に挟着される。かかる状態では、装着面２６Ｄには複数のＬＥＤ４Ｄが複数の取付片１８とともに添設される。なお、押さえ部材５０の外側部には、保持部材８Ｄの複数の固定用貫通孔２８Ｄに対応して複数のネジ孔５２が設けられている。また、半円筒状の一対の補助部材５４が保持部材８Ｄの外側に沿うようにして配設され、保持部材８Ｄの外面に配設された複数の取付片１８の各基端部が保持部材８Ｄと補助部材５４との間に挟着される。なお、補助部材５４には、保持部材８Ｄの複数の固定用貫通孔２８Ｄに対応して複数の固定用貫通孔５６が設けられている。
【００４４】
かかる状態にて、固定用ネジ３８（固定部材としての取付桿を構成する）が補助部材５４の固定用貫通孔５６、シート状基板６の固定用孔２２、保持部材８Ｄの固定用貫通孔２８Ｄ及びシート状基板６の長孔２４を通して押さえ部材５０のネジ孔５２に螺着され、これによりシート状基板６が円筒状に湾曲保持され、複数のＬＥＤ４Ｄは装着面２６Ｄにリング状に配設される。各ＬＥＤ４Ｄからの光の照射方向は、保持部材８Ｄの軸線Ｃに対して約４５度の角度だけ径方向内方に傾斜した方向となる。従って、この第５の実施形態においても、上述したのと同様の作用効果が達成される。
【００４５】
［第６の実施形態］
次に、図９を参照して、第６の実施形態の照明装置について説明する。図９は、本発明の第６の実施形態による照明装置を示す概略断面図である。
第６の実施形態の照明装置２Ｅでは、保持部材８Ｅは板状に構成され、その一端部には、保持部材８Ｅに対して第１の装着角度θ５（本実施形態では約４５度）で延びる複数の第１装着面６０と、保持部材８Ｅに対して第２の装着角度θ６（本実施形態では約３０度）で延びる複数の第２装着面６２とが設けられ、第１装着面６０及び第２装着面６２は交互に並んで配設されている。このように構成されているので、第６の実施形態の照明装置２Ｅでは、照射方向が異なったライン状照明装置が得られる。なお、第１及び第２装着面６０，６２の装着角度を同じにすれば、一方向照射のライン状照明装置となる。
【００４６】
シート状基板６は保持部材８Ｅの片面に取り付けられて平面状に保持され、複数の取付片１８の各先端部は、保持部材８Ｅの一端縁に沿って保持部材８Ｅの他面側に折り曲げられ、複数のＬＥＤ４Ｄａ，４Ｄｂはそれぞれ複数の第１及び第２装着面６０，６２に添設される。保持部材８Ｅの他面側には板状の押さえ部材６４（固定部材を構成する）が配設され、保持部材８Ｅと押さえ部材６４との間には複数の取付片１８の各先端部が挟着される。この押さえ部材６４には、保持部材８Ｅの複数の固定用貫通孔（図示せず）に対応して複数のネジ孔（図示せず）が設けられており、固定用ネジ３８（固定部材としての取付桿を構成する）がシート状基板６の固定用孔（図示せず）、保持部材８Ｅの固定用貫通孔及びシート状基板６の長孔（図示せず）を通して押さえ部材６４のネジ孔に螺着される。
【００４７】
第１装着面６０に配設されたＬＥＤ４Ｄａからの光の照射方向は、保持部材８Ｅに対して約４５度の角度だけ所定方向に傾斜した方向となり、また第２装着面６２に配設されたＬＥＤ４Ｄｂからの光の照射方向は、保持部材８Ｅに対して約３０度の角度だけ所定方向に傾斜した方向となる。従って、上記第３の実施形態と同様の作用効果が達成される。なお、上述した照明装置２Ｅをその厚さ方向に複数近接配置することにより、複数のＬＥＤ４Ｄａ，４Ｄｂを面状に配設することができ、面状の照明装置を得ることができる。
【００４８】
以上、本発明に従う種々の照明装置の実施形態について説明したが、本発明はかかる実施形態に限定されるものではなく、本発明の範囲を逸脱することなく種々の変形乃至修正が可能である。
【００４９】
上記各実施形態では、固定部材を押さえ部材３０，５０，６４及び固定用ネジ３８から構成したが、例えば接着剤から構成してもよく、かかる場合には、シート状基板６（６Ａ）（６Ｃ）の裏面に接着剤を塗布し、シート状基板６（６Ａ）（６Ｃ）を接着剤を介して保持部材８（８Ａ〜８Ｅ）に保持させればよい。
【００５０】
また、上記各実施形態では、押さえ部材３０，５０を半円筒状に構成したが、例えば次のように構成してもよい。図１０（ａ）を参照して、図示の押さえ部材６６はリング状に構成され、その両端部６８，７０にはそれぞれネジ孔（図示せず）が設けられており、これらのネジ孔には締付用ネジ７２が螺着されている。この締付用ネジ７２を所定方向に回転させると、押さえ部材６６の両端部６８，７０が相互に近接されて押さえ部材６６が縮経され、また締付用ネジ７２を上記所定方向とは反対方向に回転させると、押さえ部材６６の両端部６８，７０が相互に離隔されて押さえ部材６６が拡径される。従って、この押さえ部材６６を保持部材８（８Ａ〜８Ｃ）に沿わせて配設し、締付用ネジ７２を上記所定方向に回転させることにより、保持部材８（８Ａ〜８Ｃ）の一端縁で折り曲げられた複数の取付片１８の各先端部を押さえ部材６６と保持部材８（８Ａ〜８Ｃ）との間に挟着させることができる。
【００５１】
また、図１０（ｂ）を参照して、図示の押さえ部材７４はリング状に構成され、その一端部７６には第１突片７８及び開口部８０が設けられ、またその他端部８２には第２突片８４が設けられており、第２突片８４は開口部８０に移動自在に挿通されている。第１及び第２突片７８，８４を指や工具などで押さえて相互に近接させると押さえ部材７４が拡径され、またかかる状態にて第１及び第２突片７８，８４から指や工具などを離すと、弾性復元力によって第１及び第２突片７８，８４が相互に離隔されて押さえ部材７４が縮経される。従って、第１及び第２突片７８，８４を指や工具などで押さえた状態で押さえ部材７４を保持部材８（８Ａ〜８Ｃ）に沿わせて配設し、第１及び第２突片７８，８４から指や工具などを離すことにより、保持部材８（８Ａ〜８Ｃ）の一端縁で折り曲げられた複数の取付片１８の各先端部を押さえ部材７４と保持部材８（８Ａ〜８Ｃ）との間に挟着させることができる。
【００５２】
また、上述した接着剤は、シート状基板６（６Ａ）（６Ｃ）を保持部材８（８Ａ〜８Ｅ）に仮止めするための仮止め用として使用し、上述した各種の固定部材で最終的に固定するようにしてもよい。
【図面の簡単な説明】
【００５３】
【図１】本発明の第１の実施形態による照明装置を示す概略断面図である。
【図２】図１中のＡ−Ａ線による照明装置の概略断面図である。
【図３】図１の照明装置の製造に用いられるシート状基板を示す図である。
【図４】本発明の第２の実施形態による照明装置を示す概略断面図である。
【図５】本発明の第３の実施形態による照明装置を示す概略部分斜視図である。
【図６】図５の変形形態の照明装置を示す概略部分斜視図である。
【図７】本発明の第４の実施形態による照明装置を示す概略断面図である。
【図８】本発明の第５の実施形態による照明装置を示す概略断面図である。
【図９】本発明の第６の実施形態による照明装置を示す概略断面図である。
【図１０】変形形態の押さえ部材を示す図である。
【符号の説明】
【００５４】
２，２Ａ〜２Ｅ  照明装置
４，４ａ，４ｂ，４Ｄ，４Ｄａ，４Ｄｂ  ＬＥＤ
６，６Ａ，６Ｃ  シート状基板
８，８Ａ〜８Ｅ  保持部材
１４  スリット
１６  配線パターン
１８  取付片
２２  固定用孔
２４  長孔
２６，２６Ａ，２６Ｃ，２６Ｄ  装着面
３０，５０，６４，６６，７４  押さえ部材
４４，６０  第１装着面
４６，６２  第２装着面
【図１】
2009158260.tif 000003
【図２】
2009158260.tif 000004
【図３】
2009158260.tif 000005
【図４】
2009158260.tif 000006
【図５】
2009158260.tif 000007
【図６】
2009158260.tif 000008
【図７】
2009158260.tif 000009
【図８】
2009158260.tif 000010
【図９】
2009158260.tif 000011
【図１０】
2009158260.tif 000012